【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
第１の筐体と、第２の筐体と、前記第１および第２の筐体中にそれぞれ収容される電子部品間を電気接続する１層からなる配線導体を有するフレキシブル配線板とを備え、前記第１および第２の筐体は互いに重ね合わせた状態で相対的にスライド可能に組立られ、前記第１の筐体と前記第２の筐体とが重ね合わされる部分に設けられた空間内に前記フレキシブル配線板が屈曲されて配置された携帯電子機器において、前記フレキシブル配線板はその中立軸が前記配線導体内にあって前記配線導体の中心よりも屈曲の外側に位置するように積層構成され、前記屈曲により前記配線導体に加わる最大圧縮応力が前記配線導体の耐久限度以下であることを特徴とする携帯電子機器。
【請求項２】
配線導体の中心はフレキシブル配線板の中心よりも屈曲の内側に位置することを特徴とする請求項１に記載の携帯電子機器。
【請求項３】
屈曲された状態において、配線導体の屈曲の外側の界面における引張歪が０．００６以下であり、かつ前記配線導体の屈曲の内側の界面における圧縮歪が-０．００１以下であるフレキシブル配線板を用いることを特徴とする請求項１に記載の携帯電子機器。
【手続補正２】
【補正対象書類名】明細書
【補正対象項目名】全文
【補正方法】変更
【補正の内容】
【発明の詳細な説明】
【発明の名称】携帯電子機器
【技術分野】
【０００１】
本発明は、携帯用の電子機器の電気的な接続構造に係わり、特に電子機器の可動部分の接続構造に関するものである。
【背景技術】
【０００２】
近年、携帯用の電子機器は小型化・薄型化がさらに求められ、その構造や使用部品はこれに応えるべく種々の工夫がなされてきた。
例えば、携帯電話において、２つの筐体で構成され一方が他方に対してスライドするタイプのものがある。このタイプの携帯電話は、待機時には２つの筐体は重なって閉じているが、通話時にはスライドさせて伸張し使用される。（以下、説明の便宜上、スライド式携帯電話と称する。）
このようなスライド式携帯電話では、ディスプレイを載せた筐体とプッシュボタンが配列された筐体とが互いにずれてスライドするが、これら２つの筐体にそれぞれ収納されている電子基板間の電気的接続は、フレキシブル配線板を用いた接続構造になっている。フレキシブル配線板は上述した２つの筐体に挟まれた狭い空間に屈曲されて収容されているので、スライド開閉時にはフレキシブル配線板は狭い空間内で屈伸が繰返されることとなり、長期間の屈曲でフレキシブル配線板の破断が懸念される。また、スライド式携帯電子機器は携帯しやすいように、ますます薄型化が進み、それに伴って、フレキシブル配線板の屈曲空間の高さも小さくなってくる。そのため、小さい屈曲高さで長期間断線しないで屈曲させることができるフレキシブル配線板を開発することが携帯電子機器の信頼性上重要である。
【０００３】
従来の技術では、屈曲を繰り返すことにより生じる引張歪が破断の原因であると考えられ、かかるフレキシブル配線板の破断に対して、これに対応すべく屈曲時の歪が０となる中立軸がフレキシブル配線板の導体の中心に位置する構造など配線板の積層構成に係る工夫がなされてきた（特許文献１）。また、破断の原因は、曲げたときに回路配線パターンに対し圧縮歪が大きく作用し回路配線パターンが断線に到るとも考えられていた（特許文献２）
【０００４】
【特許文献１】特開平７−２８３４９４号公報
【特許文献２】特開２００４−７９７３１号公報
【発明の開示】
【発明が解決しようとする課題】
【０００５】
しかしながら、上記知見に従った種々の携帯用電子機器の接続構造を試みたが、破断に対する防止効果は限定的であった。
本発明の目的は、２つの筐体に収容した回路基板間を接続するフレキシブル配線板を有する携帯電子機器において、上述の繰返される屈曲に起因する破断に対して耐久性を改善し、信頼性を高めることにある。
【課題を解決するための手段】
【０００６】
本発明の携帯電子機器は、電子部品を収容するための第１の筐体と、電子部品を収容するための第２の筐体と、第１の筐体および第２の筐体にそれぞれ収容される電子部品間を電気接続する１層からなる配線導体を有するフレキシブル配線板とを備えており、第１および第２の筐体は互いに重ね合わせた状態で相対的にスライド可能に組立てられ、第１の筐体と第２の筐体とが重ね合わされる部分に設けられた空間内にフレキシブル配線板が屈曲されて配置されているものであって、フレキシブル配線板の中立軸が配線導体内にあって配線導体の中心よりも屈曲の外側方向に位置するように積層構成されたフレキシブル配線板を用い、フレキシブル配線板が屈曲された状態で配線導体に加わる最大圧縮応力が配線導体の耐久限度以下であることを特徴とする。
【発明の効果】
【０００７】
本発明に係る電子機器の接続構造によれば、屈曲配置されたフレキシブル基板中の配線導体の破断を抑制できるので、信頼性の高い携帯電子機器を提供することができる。
【発明を実施するための最良の形態】
【０００８】
実施の形態１．
本発明は、上述したフレキシブル配線板の破断に対して、破断の起点となる現象が生じ難い接続構造を採用し、耐久性の向上を図ったものである。以下、詳細に説明する。
本願発明者は、携帯用の電子機器の小型化・薄型化に対応すべく、配線板の破断の原因を調査した。調査は、スライド式携帯電話を模擬した装置を用いた実験により行った。装置は、フレキシブル配線板を２つの筐体に挟まれた狭い空間に屈曲させて収容し、筐体をスライド運動させてフレキシブル配線板を狭い空間内で屈伸させるものであり、一種の疲労破壊試験機である。試験は、２つの筐体に挟まれた狭い空間の高さ（以下、「屈曲高さ」という。）を所望の値に設定し、フレキシブル配線板を屈曲させながらスライド運動をさせて試験した。また、係る試験を「スライド屈曲試験」と称して以下説明する。
【０００９】
本願発明者は、フレキシブル配線板が断線する原因を鋭意研究し次の結論に至った。すなわち、フレキシブル配線板の破断部を詳細に観察した結果、屈曲の外側の導体とその周囲の絶縁フィルムとの界面に大きな引張応力がかかることによってクラックが発生し、さらに、クラックに引張応力が繰返し加わることによって破断に至ることがわかった。さらに、クラック発生部を詳細に研究した結果、導体の絶縁フィルムとの接着力を向上するために設けた導体界面の凹凸が起点になっていることがわかった。したがって、上述の特許文献にあるような配線にかかる引張り応力と圧縮応力とを等しくしようとする緩和策はクラック発生後のクラック伸展防止に対して効果が期待できるに過ぎず、根本的な解決方法ではなかった。
【００１０】
そこで、従来のフレキシブル配線板を用いて、導体厚と絶縁フィルム厚を変えて実験的に上記知見を検証することにした。検証の詳細を以下説明する。なお、説明の冗長さを避けるために、上述したような屈曲の外側の導体の表面を単に「界面」と称して以下説明する。
はじめに、界面にかかる引張歪を最初に検討した。
絶縁フィルムと導体との界面での引張歪は測定ができないので、計算によって求めた。引張歪の計算方法は、つぎのようになる。
（i）屈曲させたフレキシブル基板の応力が０になる中立軸を屈曲中心からの距離（ｅ）として求め、
（ii）次に、中立軸からの導体界面までの距離（ｓ）を求め、
（iii）ｓをｅで除する方法を用いた。
詳しくは、屈曲中心から中立軸までの距離（ｅ）は以下の（１）式により算出される。
（屈曲中心と中立軸の距離ｅ）＝Σ（Ｅｉ∫ｙｉｄＡ）／Σ（Ｅｉ・Ａｉ）    （１）ここで、Ｅｉはｉ番目の部材のヤング率、Ａｉはｉ番目の部材の断面積、ｙｉは中心点Ｏからｉ番目の部材の中心までの距離を示す。
中立軸からの距離ｓの面での歪εは（２）式で表される。
ε＝ｓ／ｅ          （２）
なお、上記計算は富田佳宏他著「材料力学」朝倉書店、６２ページに紹介されているものを参考にした。
【００１１】
つぎに、上述した式を使用して界面での引張歪を算出し、界面での引張歪と破断に至るまでの屈曲回数（耐久性）との関係を実験により求めた。具体的にはスライド屈曲試験を実施し、破断に至るまでの屈曲回数に与える最大引張歪の影響を確認した。試験に用いたフレキシブル配線板の仕様（積層構成、厚み）と断線に至るまでの屈曲回数を表１に示す。なお、本試験では表１の上欄に記載した層の方向が屈曲外側方向である。また、絶縁フィルムと導体との界面が屈曲外側の界面となる。なお、一般的に使われている屈曲高さは３〜４ｍｍであり、一般的な使用形態を模擬するため供試体５の試験において屈曲高さを３ｍｍとして試験した。
【００１２】
【表１】
2009017448.tif 000001
【００１３】
図１は、表１にまとめた数値を基に上述した（1）と（2）式から求めた界面の最大引張歪（計算値）と屈曲回数（耐久性）との関係を示す図である。なお、図１は両対数グラフである。
図１より、界面での最大引張歪が大きいと屈曲回数は減少する傾向にあり、両者には相関があった。このことから、屈曲回数を増やし寿命を延ばすには界面での引張歪を小さくすることが重要であることが確認できた。
【００１４】
ところで、携帯用の電子機器の小型化・薄型化に対応しようとするとき、耐久性は従来と同等あるいはそれ以上が望ましい。そこで、従来の使用形態に近い供試体５の耐久性が約１４万回であるので、倍以上の耐久性を得るべく屈曲回数の目標値を３０万回以上としてこれを達成するための構造を以下検討する。
図１を用いて、３０万回以上を満たすために必要な最大引張歪を求めるとつぎのようになる。
ｙを最大引張歪とし、ｘを屈曲寿命とすると、最小二乗法にて計算した近似式は（３）で表される。
ｌｎ（ｙ）＝−０．３９０３ｌｎ（ｘ）−０．１３５８      （３）
この（３）式を用い３０万回以上を達成する条件を求めると、最大引張歪を０．００６以下にする必要があることがわかった。なお、図１中の破線の右端は、最大引張歪が０．００６、屈曲寿命３０万回の点である。
【００１５】
上述の検証結果をまとめると、屈曲外側の引張応力による歪により界面近傍でクラックが発生し、その後の繰返し伸展によってクラックが成長し破断に至ることとなることがわかった。また、３０万回以上を達成するためには最大引張歪を０．００６以下にする必要があることがわかった。
【００１６】
そこで、上述のクラック発生に関する知見から、フレキシブル基板の構造を「中立軸が導体中にあって導体中心よりも屈曲外側であって、最大圧縮応力は導体の耐久限度以下となるような構造」にすれば耐久性が向上することに想到した。この構造に至った理由を以下詳細に説明する。なお、ここでいう耐久限度とは、疲れ限度、疲労限度とも呼ばれる材料力学上の用語である。
【００１７】
一般的に物体の曲げに発生する歪は引張歪と圧縮歪のバランスが成り立っている。本願のフレキシブル基板に当てはめて考察すると、導体中心に中立軸があると引張歪と圧縮歪は同じ値になり、中立軸が中心よりも屈曲外側にあると界面での引張歪は圧縮歪よりも小さくなり、逆に、中立軸が中心よりも屈曲内側にあると引張歪は圧縮歪よりも大きくなる。また、引張歪は材料に対して引張方向に作用するため、クラックを発生させ進展させるが、圧縮歪は材料を圧縮する方向に作用するため、クラックの進展はない。そのため、クラックを発生させないようにするには導体の屈曲外側の界面での引張歪をできるだけ小さくすることが必要である。
【００１８】
一方、引張歪を小さくして圧縮歪を大きくし過ぎると、導体の屈曲内側の界面で圧縮歪による破断が生じることがある。この圧縮歪による破断を更に説明する。フレキシブル配線板をスライド運動させると、屈曲と平坦を繰り返すことになり、圧縮歪は屈曲時には最大値を示し平坦時には０になる。ここで、圧縮歪が大きくなり過ぎると、平坦時には０にならず、引張が作用するようになる。そのため、圧縮歪側からクラックが発生することになる。したがって、圧縮歪によってクラックの発生が無いようにするためには、最大圧縮応力は導体の耐久限度以下とする必要がある。
【００１９】
したがって、導体の屈曲外側の界面でクラック発生を防止するためには、中立軸が導体中にあって導体中心よりも屈曲外側であることが必要である。また、導体の屈曲内側の界面でクラック発生を防止するためには最大圧縮応力は導体の耐久限度以下とする必要がある。
【００２０】
なお、上述のクラックの発生する圧縮歪を実験的に求めると、−０．０１であった。したがって上述の試験結果を考慮すると、３０万回以上に屈曲寿命を延ばすには導体内の中立軸を導体中心よりも屈曲外側におき、引張歪を０．００６以下で圧縮歪よりも小さくするとともに、圧縮歪も−０．０１以下になるようにすることが好ましい。
【００２１】
つぎに、上述の構成の詳細についてスライド式携帯電子機器を例に説明する。
図２は、本実施の形態１に係るスライド式携帯電子機器の筐体が開いているときの斜視図である。図３は、同機器の閉状態の斜視図である。また、図４は、図１中のＡ-Ａ断面を矢印方向に見た断面図である。図５は、図３中のＢ-Ｂ断面を矢印方向に見た断面図である。図６は、フレキシブル配線板の斜視図である。また、同配線板は、図２に示す２つの筐体にそれぞれ収納されている電子基板間の電気的接続をなすものである。図６中の３２は、フレキシブル配線板が折り曲げられた場合の屈曲の内側方向の外面であり、同図中の３１は外側方向の界面を示す。配線導体である配線パターン２がフレキシブル配線板１中に積層されて埋め込まれている。また、図７は、図６中に示した矢印Ｃ方向から同配線板の積層状態を透視した断面模式図である。
【００２２】
なお、同一の符号を付したものは、同一またはこれに相当するものであり、このことは明細書の全文において共通することである。また、明細書全文に表れている構成要素の形容は、あくまで例示であってこれらの記載に限定されるものではない。また、以下説明する構造はスライド式携帯電子機器を例にとって説明するが、スライド式に限られることなく利用できる構造である。
【００２３】
図４を参照して、本形態の携帯電子機器は、互いにスライド移動する第１の筐体２１と第２の筐体間２２に空間２３を設け、第１の筐体内２１に収納したディスプレイなどの電子部品または電子部品を搭載した基板２４と、第２の筐体内に収納した制御回路基板２５間をフレキシブル配線板１で接続した構成とからなる。フレキシブル配線板１は前記屈曲高さ２６の空間２３に屈曲されて収容され、スライド開閉時には前記屈曲空間２３内で屈伸を繰返す。フレキシブル配線板１は、耐熱性のある例えばポリイミドまたはポリエステル樹脂などの絶縁フィルム基材上に形成された導体（金属材料で通常は銅）と導体を保護するためのカバーフィルムからなり可とう性が極めて高い基板である。
【００２４】
つぎに、フレキシブル配線板１について説明する。図７を参照して、フレキシブル配線板１の積層構成は屈曲内側から外側へ順に、表面保護層１６、表面シールド層１５、絶縁フィルム１１、導体１２、接着層１４、カバーフィルム１３、表面シールド層１５、表面保護層１６の構成である。
【００２５】
本実施の形態において、導体１２の屈曲外側の界面に発生する引張歪を小さくする方法として、中立軸３３を導体中であって導体中心３４から屈曲外側３１に位置させることにしたものである。具体的には、絶縁フィルム１１厚は１２.５μｍ、カバーフィルム１３厚は１２.５μｍ、接着層１４厚は１０μｍ、導体１２厚は１２μｍ、表面シールド層１５は１１μｍ、表面保護層１６は１１μｍ、とした。係る構成により図７に示すように中立軸３３は導体内にあって導体中心３４よりも屈曲外側３１に配置することができる。なお、絶縁フィルム１１にはポリイミド、カバーフィルム１３にはポリイミド、導体１２には銅、表面シールド層１５には銀ペースト、表面保護層１６にはアルキッド樹脂を主成分とする樹脂、を採用したが、これに限定されるものではない。絶縁フィルム１１とカバーフィルム１３には耐熱性があって可とう性のある高分子材料であればよく、ポリイミドの替わりにポリエステルなどを用いてもよい。導体１２は電気抵抗が低い金属であればよくＣｕのほかにＡｌでもよい。表面シールド層１５はＡｇペーストを用いたが、ドライプロセスまたはめっきの方法によりＮｉ，Ａｌ、Ａｕ、Ｃｕ、などでもよい。表面保護層１６は表面シールド層１５を保護するために用いるもので、エポキシ樹脂、ポリウレタン、などでもよい。また、図７において、絶縁フィルム１１とカバーフィルム１３の外側に表面シールド層１５と表面保護層１６を設けた構造のフレキシブル配線板について述べたが、表面シールド層１５と表面保護層１６を設けなくても効果は上記と同様である。
【００２６】
上述した導体厚１２μｍの場合のフレキシブル配線板１は、屈曲高さ３．０ｍｍで最大引張歪は０．００２３、圧縮歪は−０．００６となり、上述した最大引張歪０．００６以下かつ最大圧縮歪−０．０１以下を十分に満足することができる。実際に、導体厚１２μｍで屈曲試験を実施したところ３０万回を満足することができた。以上をまとめると、上記の層構成は、屈曲させたフレキシブル基板の応力が０になる中立軸を導体１２の中央３４よりも屈曲外側に位置させることができる。そのため、界面の引張り応力を小さくでき、疲労破壊の開始点になるクラックの発生および進展を抑制できる。また、圧縮歪を小さくできるので屈曲内側で生じるクラックの発生を抑制できる。したがって、かかる構造は、電気的接続構造の耐久性を向上することができる。
【００２７】
本実施の形態１では、携帯電子機器に使用するフレキシブル基板の構造を「中立軸が導体中にあって導体中心よりも屈曲外側に位置する構造」にし、携帯電子機器中で屈曲された状態での「フレキシブル基板中の導体に加わる最大圧縮応力が導体の耐久限度以下となるようなフレキシブル基板中の接続構造」にすれば耐久性が向上することを説明した。
また、かかるフレキシブル基板の積層構造および屈曲形態の一例を示したが、積層構造および屈曲形態は上述の例に限られず、材質の選定、積層順、各層の厚みを適宜選択し上述した材料力学的な条件を満足するものなら他の構成のフレキシブル基板、屈曲形態でも上記と同様の効果を奏するものである。
【００２８】
実施の形態２．
界面での最大引張歪を小さくするためには、上述した（２）式の中立軸から界面までの距離（ｓ）を小さくすることが必要である。中立軸からの界面までの距離（ｓ）を小さくする構成として、
１.フレキシブル配線板の導体を屈曲内側に形成する層構成、
２.導体層厚を薄くする構成、
３.ヤング率の小さい導体を使用する構成、
がある。
【００２９】
つぎに具体例について説明する。
上記１.の具体的方法として、導体を屈曲内側に形成した層構成と屈曲外側に形成した層構成とのちがいについて説明する。フレキシブル配線板１の層構成を屈曲内側から外側へ順に、表面保護層１６（厚み１１μｍ）、表面シールド層１５（厚み１１μｍ）、カバーフィルム１３（厚み１２．５μｍ）、接着層１４（厚み１０μｍ）、導体１２（厚み１８μｍ）、絶縁フィルム１１（厚み１２．５μｍ）、表面シールド層１５（厚み１１μｍ）表面保護層１６（厚み１１μｍ）の構成について、屈曲高さ３．０ｍｍで屈曲させた時、導体に発生する最大引張歪は０．００７８、最大圧縮歪は−０．００４６となり、最大引張歪の基準０．００６以下を満足しない。ところが、この積層順を逆転したフレキシブル配線板１を使用すると、中立軸からの界面までの距離を短くできるので、最大引張歪は０．００４６、最大圧縮歪は−０．００７８となり最大引張歪の基準０．００６以下と最大圧縮歪の０．０１以下を満足することができる。図８は、この形態を図示した模式図である。実際に、図８に示した形態のフレキシブル配線板１を用いてスライド屈曲試験をしたところ３０万回以上を満足することがわかった。つまり、フレキシブル配線板の導体を屈曲内側に形成する層構成とした場合は実施の形態１で述べたように、電気的接続構造の耐久性が向上することになる。
【００３０】
さらに、屈曲高さを３．０から２．０ｍｍに狭くして計算すると、導体１２の厚が１８μｍの場合は最大引張歪が０．００７１、最大圧縮歪が−０．０１１９となり、最大引張歪０．００６以下、最大圧縮歪-０．０１以下を満足することができない。そこで、上記２.で例示したように、導体１２の厚を薄くして１４μｍにすると、最大引張歪は０．００４７、最大圧縮歪は−０．０１となって、最大引張歪の０．００６以下と最大圧縮歪の-０．０１以下を満足することになる。また、導体１２の厚が１２μｍの場合は、最大引張歪は０．００３４、最大圧縮歪は−０．００９２となり、最大引張歪の０．００６以下と最大圧縮歪の-０．０１以下を十分に満足することができる。実際に、導体１２の厚みが１２μｍで屈曲試験を実施したところ、３０万回以上を満足することができた。なお、その他の積層構成は、上述の構成と同様である。つまり、フレキシブル配線板の導体を薄くした場合、例えば１２μｍとした場合は、実施の形態１で述べたように電気的接続構造の耐久性が向上することになる。
【００３１】
つぎに、上記の３.で例示した導体のヤング率を小さくする構成について説明する。導体１２としては、電気抵抗が低く軟らかで曲げ易いことから銅箔を用いる。また、銅箔をアニールにて結晶粒を大きくすると、ヤング率をさらに小さくすることができる。例えば、通常１００ＧＰａの銅箔を２００℃のアニールにより、７５ＧＰａ程までヤング率を低下させることができる。このヤング率を低下させた銅箔を用いた場合、屈曲高さ２．０ｍｍで計算すると、０．００３９から０．００３５に低下させることができ、さらに屈曲寿命を改善することができる。
【図面の簡単な説明】
【００３２】
【図１】本発明の効果を検証した結果の図である。
【図２】本発明の実施の形態１の携帯電子機器を示した斜視図である。
【図３】本発明の実施の形態１の携帯電子機器を示した斜視図である。
【図４】本発明の実施の形態１の携帯電子機器の断面模式図である。
【図５】本発明の実施の形態１の携帯電子機器の断面模式図である。
【図６】本発明の実施の形態１のフレキシブル基板を示した斜視図である。
【図７】本発明の実施の形態１のフレキシブル基板の断面模式図である。
【図８】本発明の実施の形態２のフレキシブル基板の断面模式図である。
【符号の説明】
【００３３】
１フレキシブル配線板  、２配線パターン、１１絶縁フィルム、１２導体、１３カバーフィルム、１４接着層、１５表面シールド層、１６表面保護層、２１第１の筐体、２２第２の筐体、２３屈曲空間、２４第１の筐体に収容された基板、２５第２の筐体に収容された基板、３１屈曲外側、３２屈曲内側、３３中立軸、３４導体中心。